(57)【特許請求の範囲】
【請求項１】
屋根側端部（４）に取付けてケラバを装飾する破風化粧板（１）において、
屋根側端部（４）の上方を覆う上部被覆部（２１）と側方を覆う側部被覆部（２２）を備えた本体化粧板（２）と、本体化粧板（２）とともに屋根側端部（４）の下方を覆う破風受板（３）により構成され、
前記本体化粧板（２）は、その側部被覆部（２２）の下端部に家屋側に向かって略直角に折り曲げられた下面部（２３）が設けられているとともに当該下面部（２３）の先端に上方へ折り返され且つ先端を家屋側へ屈曲させてなる折り返し面部（２４）とこの折り返し面部（２４）の先端に下方へ折り曲げた係合片（２５）を設けて形成され、
前記破風受板（３）は、屋根側端部（４）の下方の一部を覆う下面部（３１）の前端に上方へ略直角に折れ曲がっていて上部に水平折れ面部（３３）を連ねてなる側壁（３２）、後端に軒天井（６）の端部が係入する係止凹部（３４）をそれぞれ一体に設けて形成されており、
屋根側端部（４）に固定された本体化粧板（２）の折り返し面部（２４）の上面に破風受板（３）の水平折れ面部（３３）を重ね合わせ且つ本体化粧板（２）の係合片（２５）を破風受板（３）の側壁（３２）に係合させた状態で前記重ね合わせた両面部を一体に固着して本体化粧板（２）と破風受板（３）を連結することで屋根側端部（４）の下方を覆う下部被覆部が構成され、
この下部被覆面部であって前記重なり合った折り返し面部（２４）と水平折れ面部（３３）の下側に、折り返し面部（２４）の側壁（２４ａ）と破風受板（３）の側壁（３２）が対向配置されてなる上方へ凹んだ凹溝（１１）が形成されているとともに、当該凹溝（１１）内の屋外側の側壁（２４ａ）に屋根裏空間を換気するための通気孔（２６）が複数列設された構成を有することを特徴とする破風化粧板（１）。
【請求項２】
破風化粧板（１）の内側の通気孔（２６）が面する位置に、通気孔（２６）から屋内への火炎の進入による延焼を防ぐための加熱発泡材（８）を設置した構成を有することを特徴とする請求項１に記載の破風化粧板（１）。
【発明の詳細な説明】
【技術分野】
【０００１】
本発明は、屋根の妻側端部であるケラバに取り付けてケラバを装飾する破風化粧板に係り、屋根裏空間に通ずる通気孔を備えて家屋の内部を換気できるように構成された構成のものに関する。
【背景技術】
【０００２】
家屋の切妻屋根廻りの造作において、妻側端部の意匠性を高めて見栄えを良くするために、塩化ビニル樹脂シートなどで被覆された樹脂被覆鋼板を折り曲げて破風板状の化粧板を形成し、これをケラバに沿って取り付けることがある。
【０００３】
従来の破風化粧板として、例えば図１１に示される、本体化粧板１０１と、上部化粧板１０２と、破風受板１０３とにより構成された破風化粧板１００が知られている。同図に示されるように、この破風化粧板１００は、屋根側端部１０４に沿わせた本体化粧板１０１をビスや釘などの固着具１０６ａで固定して屋根側端部１０４の側面とその下方を本体化粧板１０１で覆い、本体化粧板１０１の上端に屋根側端部１０４の上部を覆う上部化粧板１０２の下端折り返し部を係合して両板を連結し、さらに本体化粧板１０１の下方で破風受板１０３を外壁１０５に沿ってあてがい、その端部を本体化粧板１０１の下縁に固着具１０６ｂで連結し、破風受板１０３の他端部を家屋の外壁１０５に固着具１０６ｃで固定することで、妻側端部を恰も鋼製の破風板がケラバに沿って取り付けられた如き外観に納めるものである（例えば特許文献１参照）。
また、図１２に示されるように、本体化粧板１０１と、上部化粧板１０２と、破風受板１０３とからなる破風化粧板１００であって、屋根側端部１０４の下側を覆う本体化粧板１０１の部分に通気孔１０１ａを形成し、この通気孔１０１ａから外気を流入させて屋根裏空間の換気を行えるようにした構成のものも知られている（例えば特許文献２参照）。
【先行技術文献】
【特許文献】
【０００４】
【特許文献１】特開２００３−１５５８１１号公報
【特許文献２】実開平５−４２４９８号公報
【発明の概要】
【発明が解決しようとする課題】
【０００５】
従来の破風化粧板１００のように、本体化粧板１０１と上部化粧板１０２と破風受板１０４との三つの部材により構成されていれば、各部材は成形加工が容易であり、また、ケラバに取り付ける際に各部材間の取り付け位置を微調整して取り付け誤差を吸収することで外観を奇麗に納めることが可能であるものの、三つの部材を固定する必要があるため、取り付けに要する作業工数が多くなり、作業時間も長くならざるを得なかった。また、本体化粧板１０１の上端と上部化粧板１０２の下端折り返し部の連結が不十分であると、強風を受けたときに連結が外れて上部化粧板１０２が下端部側から捲れ上がってしまう虞がある。
また、前記図１２に示されるように、通気孔１０１ａを本体化粧板１０１の、屋根側端部１０４の下部に対向する位置に設けたのでは、軒下から屋根を見上げたときに通気孔１０１ａが目に付き、さらに、降雨時に本体化粧板１０１の下面を棟側から軒先へと伝い落ちる雨水が通気孔１０１ａから本体化粧板１０１の内側に入り込み、換気機能を低下させるという問題がある。
【０００６】
本発明は従来技術の有するこのような問題点に鑑み、より少ない作業工数で破風化粧板をケラバに沿って確実且つ奇麗に取り付けて屋根の端部を見栄え良く装飾し、換気用の通気孔を軒下から目に付き難く且つ雨水が浸入し難い位置に形成して、屋根裏空間の換気を十分に行えるようにすることを課題とする。
【課題を解決するための手段】
【０００７】
前記課題を解決するため本発明は、屋根側端部に取付けてケラバを装飾する破風化粧板において、
屋根側端部の上方を覆う上部被覆部と側方を覆う側部被覆部を備えた本体化粧板と、本体化粧板とともに屋根側端部の下方を覆う破風受板により構成され、
前記本体化粧板は、その側部被覆部の下端部に家屋側に向かって略直角に折り曲げられた下面部が設けられているとともに当該下面部の先端に上方へ折り返され且つ先端を家屋側へ屈曲させてなる折り返し面部とこの折り返し面部の先端に下方へ折り曲げた係合片を設けて形成され、
前記破風受板は、屋根側端部の下方の一部を覆う下面部の前端に上方へ略直角に折れ曲がっていて上部に水平折れ面部を連ねてなる側壁、後端に軒天井の端部が係入する係止凹部をそれぞれ一体に設けて形成されており、
屋根側端部に固定された本体化粧板の折り返し面部の上面に破風受板の水平折れ面部を重ね合わせ且つ本体化粧板の係合片を破風受板の側壁に係合させた状態で前記重ね合わせた両面部を一体に固着して本体化粧板と破風受板を連結することで屋根側端部の下方を覆う下部被覆部が構成され、
この下部被覆面部であって前記重なり合った折り返し面部と水平折れ面部の下側に、折り返し面部の側壁と破風受板の側壁が対向配置されてなる上方へ凹んだ凹溝が形成されているとともに、当該凹溝内の屋外側の側壁に屋根裏空間を換気するための通気孔が複数列設された構成を有することを特徴とする。
さらに、前記破風化粧板の内側の通気孔が面する位置に、通気孔から屋内への火炎の進入による延焼を防ぐための加熱発泡材を設置した構成を有することを特徴とする。
【０００８】
前記構成の破風化粧板によれば、屋根側端部の下方を覆う下部被覆部に上方へ運んだ凹溝を設け、この凹溝の壁面に通気孔を複数形成してあるので、通気孔から外気を家屋の内部に取り入れて屋根裏空間へと流入させることで、屋根裏空間の換気を十分に行うことができる。通気孔は、凹溝内の屋外側の壁面に形成してあるので、降雨時に通気孔から化粧板内部に雨水が浸入し難く、また、屋根側端部を下から見上げても通気孔が目に触れることもなく、破風化粧板によりケラバを見栄え良く納めることができる。
【０００９】
前記構成において、破風化粧板を本体化粧板と破風受板により構成し、通気孔を有する凹溝が設けられた前記下部被覆部が、本体化粧板の側部被覆部の下端部に設けた、当該下端部から上方へ折り返され且つ先端を家屋側へ屈曲させてなる折り返し面部に、一端部を軒天井に取り付けてなる破風受板の他端部を接続して構成されていることが好ましい。
破風化粧板を本体化粧板と破風受板の二つの部材により構成することにより、破風化粧板の取り付けに要する作業工数が減り、部材の加工性と取り付け作業性の向上を図ることができる。
この場合、前記通気孔付きの凹溝は本体化粧板と破風受板の何れかの側に設けることができるが、凹溝を挟んでその屋外側の壁面に本体化粧板の折り返し面部の側壁、家屋側の壁面に破風受板の側壁が対向配置されるように構成すれば、本体化粧板と破風受板の接続部位が凹溝内に位置して、屋根側端部を下から見上げても接続部位が目に付かず、前記通気孔が目に触れにくいことと相俟って屋根側端部の造作がスッキリとしたより見栄えの良いものとなる。
【図面の簡単な説明】
【００１０】
【図１】本発明の一実施形態の破風化粧板を取り付けた屋根側端部の下側を、一部を破断して示した外観図である。
【図２】図１における屋根側端部の要部断面図である。
【図３】図１の破風化粧板の構成を示す展開斜視図である。
【図４】（Ａ）は本体化粧板の通気孔が形成された部分の外観図、（Ｂ）はＢ−Ｂ線断面図である。
【図５】図１の破風化粧板を構成する本体化粧板と破風受板の断面図と、両板を連結した破風化粧板の断面図である。
【図６】他の形態の破風化粧板を構成する本体化粧板と破風受板の断面図と、両板を連結して状態の破風化粧板の断面図である。
【図７】本発明の他の実施形態の破風化粧板を取り付けた片棟屋根の側端部の要部断面図である。
【図８】図７の破風化粧板の構成を示す展開斜視図である。
【図９】図７の破風化粧板を構成する本体化粧板と破風受板の断面図と、両板を連結した破風化粧板の断面図である。
【図１０】本発明の破風化粧板の内部に熱発泡材を設置した形態を示す屋根側端部の要部断面図である。
【図１１】従来の破風化粧板を取り付けた屋根側端部の要部断面図である。
【図１２】通気孔を備えた従来の破風化粧板を取り付けた屋根側端部の要部断面図である。
【発明を実施するための形態】
【００１１】
本発明の好適な実施形態を図面を参照して説明する。
図１は本発明の一実施形態の破風化粧板を取り付けた屋根側端部下方の外観図、図２は破風化粧板を屋根側端部に取り付けた状態を示す断面図、図３は破風化粧板の展開斜視図、図４は通気孔の形状を示す外観図と断面図である。
【００１２】
図示した形態の破風化粧板１は、屋根側端部４の上方、側方及び下方の一部を覆う本体化粧板２と、本体化粧板２とともに屋根側端部４の下方を覆う破風受板３との二つの部材により構成されるものである。
本体化粧板２と破風受板３は、表面を塩化ビニル樹脂シートで覆うなどの耐蝕加工が施された樹脂被覆鋼板をベンダー等で折り曲げて形成される。各部材を構成する鋼板としては、例えば厚みが０．４ｍｍの鋼板の表面を０．２５ｍｍ厚の塩化ビニル樹脂シートで被覆し、裏面を０．１ｍｍ厚の塩化ビニル樹脂シートで被覆した樹脂被覆鋼板が好適である。
【００１３】
本体化粧板２は、図３に示されるように、屋根側端部４の上方を覆う上部被覆部２１と側方を覆う側部被覆部２２とを備えて形成され、屋根側端部４を覆うように本体化粧板２を設置した状態で、側部被覆部２２の面内に形成された断面コ字状の凹部２２ａにビスや釘などの固着具Ｎを打ち込むことにより、屋根側端部４の側面に固定されるようになっている。
より詳しくは、前記側部被覆部２２の下端部には、家屋側に向かって略直角に折り曲げられた下面部２３が設けられているとともに、当該下面部２３の先端に上方へ折り返され且つ先端を家屋側へ屈曲させてなる折り返し面部２４を連ね、さらに折り返し面部２４の先端に下方へ折り曲げられていて破風受板３の側壁３２に係合する係合片２５を設けて形成してある。また、折り返し面部２４の屋外側の側壁２４ａには、図４に示されるように、パンチング加工により形成されたスリット状の通気孔２６を複数列設してある。
【００１４】
また、破風受板３は、図３に示されるように、屋根側端部４の下方の一部を覆う幅を有する下面部３１の前端に、上方へ略直角に折れ曲がっていて上部に水平折れ面部３３を連ねてなる側壁３２、後端に家屋側に向かって開口していて後述する軒天井６の端部が係入する係止凹部３４をそれぞれ一体に設けて形成してある。
【００１５】
これら本体化粧板２と破風受板３からなる破風化粧板１は、図２及び図５に示されるように、本体化粧板２の折り返し面部２４の上面に、破風受板３の水平折れ面部３３を重ね合わせた状態で、折り返し面部２４の上面に設けた孔部２４ｂと水平折れ面部３３に設けた孔部３３ａにブラインドリベットなどの固着具Ｎを嵌入して両面部を一体に固着することにより構成される。
一体に連結した本体化粧板２と破風受板３は、屋根側端部４の下方を覆う下部被覆部を構成し、また、両板の連結部であって互いに重合した前記折り返し面部２４の上面と水平折れ面部３３の下側には、折り返し面部２４の側壁２４ａと破風受板３の側壁３２が対向配置されてなる、上方へ凹んだ凹溝１１が形成され、この凹溝１１の屋外側の壁面に屋根裏空間を換気するための通気孔２６が列設配置される。
【００１６】
このように構成される破風化粧板１の取り付けは、図２に示されるように、屋根側端部４に破風化粧板１をあてがい、屋根の側端部上面に取り付けられた水切り板５に上部被覆部２１の端部を係合させて取り付け位置を位置決めした状態で、側部被覆部２２に設けられた凹部２２ａ内に固着具Ｎを打ち込むとともに、前記上部被覆部２１と水切り板５の係合部位に固着具Ｎを打ち込んで本体化粧板２を屋根側端部４に固定し、次いで、破風受板３の端部を屋根側端部４の下面に固着具Ｎで固定し、破風受板３の係止凹部３４に軒天井６の端部を係合させて支持することにより行うことができる。施工現場に本体化粧板２と破風受板３を分離して持ち込み、屋根側端部４に本体化粧板２を取り付けた後、本体化粧板２の下端部に破風受板３を連結するようにしてもよい。
また、図６に示されるように、本体化粧板２の折り返し面部２４の端部に上方へ鍵状に折れた折れ部２４ｃを設ける一方、破風受板３の水平折れ面部３３の端部に下方へ鍵状に折れた折れ部３３ａを設け、両折れ部２４ｃ、３３ａを互いに係合させることにより、固着具Ｎを用いずに本体化粧板２と破風受板３を連結してもよい。
【００１７】
図７〜図９は本発明の他の実施形態の破風化粧板を示しており、この破風化粧板１は、片棟屋根の側端部４に取り付けて片棟屋根の端部を装飾するものである。
【００１８】
破風化粧板１は、前記形態と同様に形成された、本体化粧板２と破風受板３との二つの部材により構成されている。
すなわち、本体化粧板２は、図８に示されるように、屋根側端部４の上方を覆う上部被覆部２１と側方を覆う側部被覆部２２を備え、側部被覆部２２の下端部には、家屋側に向かい斜め下方に折り曲げられた下面部２３が設けられ、当該下面部２３の先端に上方へ略直角に折り返され且つ先端を前記下面部２３と平行に屈曲させてなる折り返し面部２４を連ね、さらに折り返し面部２４の先端に下方へ折り曲げた係合片２５を設けて形成してある。折り返し面部２４の屋外側の側壁２４ａには、パンチング加工により形成されたスリット状の通気孔２６を複数列設してある。また、破風受板３は、屋根側端部４の下方の一部を覆う幅を有する下面部３１の前端に、上方へ略直角に折れ曲がっていて上部に水平折れ面部３３を連ねてなる側壁３２、後端に家屋側に向かって開口していて軒天井６の端部が係入する係止凹部３４をそれぞれ一体に設けて形成してある。
【００１９】
破風化粧板１は、図８及び図９に示されるように、本体化粧板２の折り返し面部２４の上面に、破風受板３の水平折れ面部３３を重ね合わせた状態で、折り返し面部２４の上面に設けた孔部２４ｂと水平折れ面部３３に設けた孔部３３ａにブラインドリベットなどの固着具Ｎを嵌入して両面部を一体に固着することにより構成される。一体に連結した本体化粧板２と破風受板３は、屋根側端部４の下方を覆う下部被覆部を構成し、また、両板の連結部に上方へ凹んだ凹溝１１が形成され、この凹溝１１の屋外側の壁面に屋根裏空間を換気するための通気孔２６が列設配置される。
【００２０】
また、破風化粧板１の取り付けは、前記形態と同様に、屋根側端部４にあてがった破風化粧板１の上部被覆部２１の端部を水切り板５に係合させて取り付け位置を位置決めした状態で、側部被覆部２２に設けられた凹部２２ａに固着具Ｎを打ち込むとともに、前記上部被覆部２１と水切り板５の係合部位に固着具Ｎを打ち込んで本体化粧板２を屋根側端部５に固定し、次いで、破風受板３の端部を屋根側端部５の下面に固着具Ｎで固定し、破風受板３の係止凹部３４に軒天井６の端部を係合させて支持することにより行うことができる。
【００２１】
なお、図２と図７に示した屋根側端部４への破風化粧板１の取り付け態様において、家屋に火災が発生した際に、破風化粧板１に設けられた通気孔２６から屋内に火炎が進入して延焼することを防ぐため、破風化粧板１の内側に加熱発泡材を設置することが好ましい。
すなわち、図１０に示されるように、破風化粧板１ととともに仕切板７を破風化粧板１の内側に取り付け、通気孔２６に面するように配置された前記仕切板７の下端部７ａに加熱発泡材８が設置してあれば、火災時に通気孔２６から破風化粧板１内に火炎や熱風が進入したときに加熱発泡材８が膨張して、通気孔２６から屋根裏空間に至る通気経路を遮断し、屋根裏空間に火炎などが廻り込んで家屋が延焼することを防止することが可能となる。
【００２２】
本発明の破風化粧板１によれば、屋根側端部４の下方を覆う下部被覆部に上方へ運んだ凹溝１１を設け、この凹溝１１の壁面に通気孔２６を形成してあるので、通気孔２６から外気を取り入れて屋根裏空間へと流入させることで、屋根裏空間の換気を十分に行うことができる。通気孔２６は、凹溝１１内の屋外側の壁面に形成してあるので、降雨時に通気孔２６から化粧板内部に雨水が浸入し難く、また、屋根側端部４を下から見上げても通気孔２６が目に触れることもなく、破風化粧板１によりケラバを見栄え良く納めることができる。
また、破風化粧板１を本体化粧板２と破風受板３の二つの部材により構成することにより、破風化粧板１の取り付けに要する作業工数が減り、部材の加工性と取り付け作業性の向上を図ることができる。この場合、凹溝１１を挟んで本体化粧板２と破風受板３を連結すれば、両板の接続部位が凹溝１１内に位置して目に付かず、前記通気孔２６が目に触れにくいことと相俟って屋根側端部４の造作がスッキリとしたより見栄えの良いものとなる。
【００２３】
なお、図示した破風化粧板１は本発明の実施形態の一例を示すものであり、本発明はこれらに限定されず、取り付ける屋根側端部の形状や寸法などに応じて、他の適宜な形態で構成することが可能である。
【符号の説明】
【００２４】
１  破風化粧板、１１  凹溝、２  本体化粧板、２１  上部被覆部、２２  側部被覆部、２３  下面部、２４  折り返し面部、２４ａ  側壁、２５  係合片、２６  通気孔、３  破風受板、３１  下面部、３２  側壁、３３  水平折れ面部、４  屋根側端部、５  水切り板、６  軒天井、７  仕切板、８  加熱発泡材、Ｎ  固着具
【図１】
0005833404.tif 000002
【図２】
0005833404.tif 000003
【図３】
0005833404.tif 000004
【図４】
0005833404.tif 000005
【図５】
0005833404.tif 000006
【図６】
0005833404.tif 000007
【図７】
0005833404.tif 000008
【図８】
0005833404.tif 000009
【図９】
0005833404.tif 000010
【図１０】
0005833404.tif 000011
【図１１】
0005833404.tif 000012
【図１２】
0005833404.tif 000013